(57)【要約】  本発明は、天井（２００）などを換気するためのデバイス（１）であって、横方向部材（２）を備え、横方向部材（２）をベッド構造（１００）に接続し得て、横方向部材（２）に、互いに接触する少なくとも２つのパイプ形材（３、４）が一端で接続され、パイプ形材（３、４）が、横方向部材（２）に平行な軸（５）の周りで枢動することができる、デバイス（１）に関する。本発明によれば、ばね要素（６）が、各パイプ形材に配置されており、上記ばね要素（６）は、それぞれ１つの第１のパイプ形材（３、４）に関して少なくとも１つの第２のパイプ形材（７、８）を通り、第２のパイプ形材を第１のパイプ形材（３、４）に接続し、第２のパイプ形材は、天井などのための支持面（９）に接続され、支持面（９）に平行な軸（１０）の周りで枢動することができ、少なくとも１つの要素（１１）が、第１または第２のパイプ形材に固定され、この要素は、固定すべきパイプ形材のための受入部を形成し、この受入部は、第１のパイプ形材（３、４）を第２のパイプ形材（７、８）に固定し、第１のパイプ形材は、横方向で互いに隣接するように配置され、第２のパイプ形材は、横方向で互いに隣接するように配置され、第１のパイプ形材は、それぞれの第２のパイプ形材と垂直方向で位置合わせされる。【選択図】  図１
2020500573.tif 000002
【特許請求の範囲】
【請求項１】
毛布（２００）などを干すためのデバイス（１）であって、クロスピース（２）を備え、前記クロスピース（２）が、ベッド構造（１００）に接続されるように適合されており、一端に接続された少なくとも２つの隣接する管状形材（３、４）を有し、前記管状形材（３、４）が、前記クロスピース（２）に平行な軸（５）の周りで枢動し、ばね要素（６）が、各管状形材に配置されており、各第１の管状形材（３、４）の前記ばね要素（６）が、少なくとも１つの第２の管状形材（７、８）を通って延在し、前記第２の管状形材（７、８）を第１の管状形材（３、４）に接続し、前記第２の管状形材が、毛布などのための支持体（９）の表面に接続され、支持体（９）の前記表面に平行な軸（１０）の周りで枢動し、要素（１１）が、第１および第２の管状形材に固定されて、固定すべき前記管状形材のための受取部を形成し、前記受取部が、前記第１の管状形材（３、４）を前記第２の管状形材（７、８）に固定するように適合され、前記第１の管状形材が、横方向で互いに隣接し、前記第２の管状形材が、横方向で互いに隣接し、前記第１の管状形材が、それらそれぞれの第２の管状形材と垂直方向で位置合わせされる、デバイス（１）。
【請求項２】
前記クロスメンバ（２）および／または前記毛布（２００）用の前記支持面（９）が、２つの側壁（２０、２１、３０、３１）と接続され、それにより、前記クロスメンバ（２）および前記支持面（９）と共にアセンブリを形成することを特徴とする、請求項１に記載の毛布（２００）などを干すためのデバイス（１）。
【請求項３】
前記ばね要素（６）が、弾性ストラップコードまたは糸であることを特徴とする、請求項１または２のいずれかに記載の毛布（２００）などを干すためのデバイス（１）。
【請求項４】
係止部材（５０、５１、５２、５３）が、少なくとも前記クロスピース（２）および／または前記支持体（９）に配置されていることを特徴とする、請求項１〜３のうちいずれか一項に記載の毛布（２００）などを干すためのデバイス（１）。
【請求項５】
前記管状形材（３、４）が、前記クロスピース（２）と枢動可能に接続され、前記管状形材（７、８）が、ブロック（５５）によって前記支持面（９）と枢動可能に接続されていることを特徴とする、請求項１〜４のうちいずれか一項に記載の毛布（２００）などを干すためのデバイス（１）。
【請求項６】
２つの係止部材（５０、５１）が前記クロスピース（２）内に配置され、２つの係止部材（５２、５３）が前記支持体（９）に配置されており、前記係止部材が、前記クロスピース（２）および前記支持体（９）それぞれの端部に配置されており、互いに相補的であることを特徴とする、請求項５に記載の毛布（２００）などを干すためのデバイス（１）。
【発明の詳細な説明】
【技術分野】
【０００１】
本発明は、請求項１の前提部による毛布などからを干すためのデバイスに関する。
【背景技術】
【０００２】
多数の毛布スタンドが当技術分野で知られている。特許文献１は、毛布を干すためのデバイスを開示している。特許文献１に開示されているデバイスは、パンタグラフまたは伸縮ロッド構造を備えており、それが展開されて、ばね荷重を受けたピンによって係止される。
【０００３】
特許文献１に開示されている構造は、大きなスペースを必要とし、組立て後に安定しない。
【０００４】
特許文献２は、衣服などのための支持デバイスを開示している。このデバイスは、衣服などを固定するためのロッドから構成された矩形構造からなる。この構造は大きなスペースを占め、構造を形成するためにその個々の部品を毎回組み立てられなければならない。
【０００５】
特許文献３は、衣服用の折畳み可能な構造を開示している。この構造は、衣装ダンスを提供する必要がある場合のために設計されている。開示されている構造は折畳み可能であり、可搬ケースを形成する。折り畳まれた構造は、その支持部材の並置により、非常に厚い。
【先行技術文献】
【特許文献】
【０００６】
【特許文献１】オーストリア国実用新案第００４  １１５号明細書
【特許文献２】米国特許出願公開第２００７／１２６３１７号明細書
【特許文献３】米国特許第２３４０５４０号明細書
【発明の概要】
【発明が解決しようとする課題】
【０００７】
本発明の目的は、コンパクトで安定した構造を有し、容易かつ迅速に組み立てることができるコンパクトなデバイスを提供することである。
【課題を解決するための手段】
【０００８】
この目的は、請求項１の特徴部に定義されたデバイスによって達成される。
【０００９】
以下の記載および特許請求の範囲における管状形材という用語は、任意の中空形材、特に中空管状形材を表すことが意図されている。
【００１０】
本発明のデバイスは、クロスピースを備え、クロスピースは、ベッド構造に接続されるように設計されており、一端でそこに接続された少なくとも２つの隣接する管状形材を有し、管状形材は、クロスピースに平行な軸の周りで枢動し、ばね要素が、各管状形材に配置されている。
【００１１】
各第１の管状形材用のこのばね要素は、第２の管状形材を通って延在し、第２の管状形材は、毛布などのための支持面に接続され、支持面に平行な軸の周りで枢動し、第２の管状形材は横並びの関係であり、第１または第２の管状形材に少なくとも１つの要素が配置されて、第１の管状形材を第２の管状形材に固定し、この要素は、第１の管状形材に接続され、そのそれぞれの第２の管状形材を受け取る受取部である。
【００１２】
そのようにして得られたデバイスは、簡単に折畳み可能である。さらに、展開位置において、頑丈な構造が得られる。構造体／スタンドは、好ましくはばねストラップからなるばね要素によってばね荷重を受けている。追加の要素または管状形材の端部は、ばね要素によって接続された管状形材を受け取るための受取部を形成する。
【００１３】
この受取部は、１つの管状形材の端部またはより大きい直径を有する管状形材の端部にしっかりと固定された要素からなり得て、ばね要素によって接続された管状形材を受け取るように設計されている。
【００１４】
本発明のデバイスは、本発明のデバイスのクロスピースをベッドフレームに固定するねじによってベッドに固定し得る。固定は、いくつかの異なる既知の固定式または着脱可能な取付け構成によって提供し得る。
【００１５】
本発明のデバイスは、ベッドに固定されるとすぐに使用することができる。
【００１６】
第１のステップでは、毛布支持面またはそれに取り付けられたグリップ手段が保持される。
【００１７】
後に、毛布支持面は、本発明のデバイスのクロスピースから垂直方向に離間される。
【００１８】
この離間ステップ中、管状形材は持ち上げられ、予荷重されたばね要素が管状形材に配置されて、管状形材を受取部内の所定位置に動かすのを助け、それにより、構造はしっかりと固定される。
【００１９】
使用後、受取部内の形材が引き抜かれる。折畳みステップ中、管状形材内のばね要素は再び荷重をかけられる。第１の管状形材と第２の管状形材とは隣接する位置に配置されている。
【００２０】
有利には、２つの側壁を、クロスピースおよび／または支持面に接続し得る。これらの壁は、閉位置で管状形材受取り部分を形成し得る。したがって、デバイス全体が非常にコンパクトであり、容易に輸送して組み立て得る。
【００２１】
さらなる実施形態では、本発明の構造は、ベッド構造内に配置し得る。この場合、ベッド構造は、基部の機能を有する。
【００２２】
本発明のシステムの安定性を高めるために、個別にまたは組み合わせて、いくつかのデバイスおよび／または要素を提供し得る。
【００２３】
有利には、２つの要素がクロスピースに配置されて、第１の管状形材用の当接部を形成する。さらに、これらの当接部を、本発明のデバイスの適切な閉止を確実にするために使用し得る。
【００２４】
本明細書に記載の本発明の好ましい非限定的な実施形態のさらなる特徴および詳細を、添付の図面を参照しながら以下の記載で明確に説明する。
【図面の簡単な説明】
【００２５】
【図１】閉位置にある本発明のデバイスの正面図である。
【図２】閉位置にある本発明のデバイスの斜視図である。
【図３】部分的に開いた位置にある本発明のデバイスの側面図である。
【図４】部分的に開いた位置にある本発明のデバイスの斜視図である。
【図５】部分的に開いた位置にある本発明のデバイスの正面図である。
【図６】部分的に開いた位置にある本発明のデバイスの斜視図である。
【図７】介在構造によってベッドに取り付けられた本発明のデバイスを示す図である。
【図８】別の位置でベッドに取り付けられ、毛布が上に乗っている状態での、本発明のデバイスを示す図である。
【図９】毛布が上に乗っている状態でのベッドに取り付けられた本発明のデバイスの側面図である。
【図１０】係止突起を有する好ましい実施形態の詳細図である。
【図１１】開位置にある好ましい実施形態による本発明のデバイスの斜視図である。
【発明を実施するための形態】
【００２６】
参照番号１は、本発明の物干しデバイスを表し、この物干しデバイスは、毛布２００などを干すために設計されている。このデバイスは、クロスピース２を備える。クロスピースという用語は、金属、木、またはプラスチックなどから作成されたプレートなどの要素を表すことを意図している。クロスピース２を形成するこのプレートは、ベッド構造１００に接続されるように適合されている。接続は、数本のねじもしくは釘、またはベッドへの結合によって提供し得る。これらは接続の例である。接続は、直接提供されても、介在要素、例えば金属コーナー要素などを伴って提供されてもよい。少なくとも２つの第１の管状形材３、４が、クロスピース２に一端で接続されている。管状形材３、４という用語は、中心穴を有する長手方向延在部を有する物体を表すことを意図している。これらの管状形材３、４は、クロスピース２と平行な軸５の周りで枢動するように適合されている。
【００２７】
向きは、好ましくは、ストッパ５０によってクロスピース２に対して約９０°の最大開き振幅に制限し得る。
【００２８】
好ましくは、管状形材３、４を展開位置で係止する係止部材を提供し得る。
【００２９】
ばね要素６が、各第１の管状形材３、４に配置されている。このばね要素は、有利には、プラスチックやゴムなどで作成された弾性ストラップ６である。
【００３０】
各第１の管状形材３、４のこのばね要素６は、少なくとも１つの第２の管状形材７、８を通って延在し、第２の管状形材７、８を第１の管状形材３、４に接続する。
【００３１】
毛布などのための支持面９に接続された第２の管状形材は、支持面９と平行な軸１０の周りで枢動するように適合されている。
【００３２】
受取部を形成する少なくとも１つの要素１１が、第１または第２の管状形材に設けられる。この受取部は、１つの管状形材の拡張部でよく、または第１の管状形材３を第２の管状形材７、８に固定するために第１の管状形材３もしくは第２の管状形材７、８にしっかりと固定されている要素でもよい。この要素は、その中に挿入すべき管状形材よりも大きい内径を有する。
【００３３】
そのような固定は、第１の管状形材３、４または第２の管状形材７、８を変位させてそれを要素１１に挿入することによって得られる。したがって、２つの管状形材３、４、７、９は、弾性ストラップ、バンド、または糸によって所定位置に維持される。
【００３４】
弾性ストラップは、本発明のデバイス１の展開前に予荷重されている。これは、構造体が、毛布２００を干すように適合されたその取付け形状を取るのを助ける。
【００３５】
一実施形態では、クロスピース２および／または毛布２００用の支持面９は、２つの側壁２０、２１、３０、３１に接続されている。これらの側壁は、閉じた位置では、クロスピース２、および管状形材３、４、７、８を受け取るための表面９と共にアセンブリを形成する。したがって、展開していない形状では、デバイスは非常にコンパクトであり、迅速に輸送し得る。このコンパクトな形状は、特に、第１の管状形材３、４が横方向に変位されているので得られる。これらの管状形材３、４および第２の管状形材７、８は、閉じた状態では隣接している。この配置により、第１の管状形材３および第２の管状形材によって提供される横方向支持体が、展開および閉止中に互いに干渉しないので、展開がより容易かつ迅速になる。
【００３６】
異なる実施形態では、形材３、４、７、および８のための外方向係止構成を作成するために、少なくとも１つの係止部材５０、５１、５２、５３を提供し得る。この係止部材は、クロスピース２および／または支持体９内に配置される。
【００３７】
好ましくは、２つの係止部材５０、５１が物干しデバイス１に配置される。クロスピースの端部にある２つの係止部材５０、５１は、管状形材３を支持する。好ましい実施形態では、係止部材５０、５１の係止面は、物干しデバイス１の高さよりもサイズが小さい。これにより、側壁２０、２１、３０、３１によって、閉じられた物干しデバイス１に係止部材５０、５１を閉じ込めることができる。
【００３８】
また、好ましい実施形態では、クロスピース２に配置された係止部材は、幅方向に変位されて支持体９に配置された係止部材５２、５３と相補的である。
【００３９】
好ましい実施形態では、管状形材３、４の端部はクロスピース２と枢動可能に接続され、管状形材７は、ブロック５５によって支持体９と枢動可能に接続される。したがって、係止部材５２、５３は、管状形材７、８のためのストッパを形成する。
【００４０】
最後に、上記の記載は、添付の特許請求の範囲によって定義される本発明の範囲から逸脱することなく、当業者に自明であろう追加、変更、または変形を施すことができることを理解されたい。
【符号の説明】
【００４１】
１  物干しデバイス
２  クロスピース
３  管状形材
４  管状形材
５  軸
６  ばね要素
７  管状形材
８  管状形材
９  支持体
１０  軸
１１  要素／受取部
２０  側壁
２１  側壁
３０  側壁
３１  側壁
５０  係止部材
５１  係止部材
５２  係止部材
５３  係止部材
５５  ブロック
１００  ベッド
２００  毛布
３００  接続構造
【図１】
2020500573.tif 000003
【図２】
2020500573.tif 000004
【図３】
2020500573.tif 000005
【図４】
2020500573.tif 000006
【図５】
2020500573.tif 000007
【図６】
2020500573.tif 000008
【図７】
2020500573.tif 000009
【図８】
2020500573.tif 000010
【図９】
2020500573.tif 000011
【図１０】
2020500573.tif 000012
【図１１】
2020500573.tif 000013
【国際調査報告】
2020500573.tif 000014
2020500573.tif 000015
2020500573.tif 000016
2020500573.tif 000017